(57)【要約】      （修正有）【課題】治療中に使用者が移動でき、また、選択的に仮面を付けて使用することによって、子供達がマスクの着用に飽きることなく楽しみとなるような、自律的なネブライザーを提供する。【解決手段】超音波装置を介して薬用溶液を霧化することによる呼吸器系の治療に使用されるネブライザーであって、装着ひもを備えたサポートフェイスマスクの、呼吸器の入口に対応する領域の、正面のキャビティ２内に配置されるネブライザーマスク１を有し、ネブライザーマスク１は、キャビティ２の底面２‘の穴を貫通して緊密に連通する連結チューブ７によって超小型ネブライザー６を含む外部ソケット５と嵌合されて、安定して固定され、サポートフェイスマスク３は、外側に、補助取付手段を備える仮面９を着脱自在に取り付ける取付手段８を有する。【選択図】図１
0003209915.tif 000002
【実用新案登録請求の範囲】
【請求項１】
超音波装置を介して薬用溶液を霧化することによる呼吸器系の治療に使用されるネブライザーであって、前記ネブライザーは、
装着ひもを備えたサポートフェイスマスクの、呼吸器の入口に対応する領域の、正面のキャビティ（２）内に配置されるネブライザーマスク（１）を有し、
前記ネブライザーマスク（１）は、前記キャビティ（２）の底面（２‘）の穴を貫通して緊密に連通する連結チューブ（７）によって超小型ネブライザー（６）を含む外部ソケット（５）と嵌合されて、安定して固定され、
前記サポートフェイスマスク（３）は、外側に、補助取付手段を備える仮面（９）を着脱自在に取り付ける取付手段（８）を有することを特徴とするネブライザー。
【請求項２】
前記サポートフェイスマスク（３）の一方の面に電源ボタン（ｅ）を備える電子装置（Ｅ）が配置され、前記電子装置（Ｅ）は、他方の面に電源（Ａ）が配置された前記超小型ネブライザーの動作を制御する請求項１に記載のネブライザー。
【考案の詳細な説明】
【技術分野】
【０００１】
本考案は、噴霧療法を行う呼吸器系の治療に主に使用されるネブライザーに関するものである。子供達がマスク着用に対して通常抱く抵抗感を和らげ、治療中における子供ならではの動作により生じる不自由さを解消し、従来の装置との操作連結を避けて噴霧療法を行うネブライザーに関するものである。
【背景技術】
【０００２】
従来のネブライザーは、電子ネットワークとの連結により静的にしなければならない超音波霧化装置と、患者の移動性を妨げるチューブを介して前記装置に取り付けられるマスクとを有する。移動性の欠落及びマスク着用への抵抗感により小児科使用には向いていない。
【考案の概要】
【考案が解決しようとする課題】
【０００３】
それゆえ、本実用新案の主たる目的は、治療中に使用者が移動でき、また、選択的に仮面を付けて使用することによって、子供達がマスクの着用に飽きることなく楽しみとなるような、自律的なネブライザーを提供することである。
【課題を解決するための手段】
【０００４】
具体的には、使用者の頭に装着するための装着ひもを含むサポートマスク（サポートフェイスマスク）で、前記サポートマスク内に、作動マスク（ネブライザーマスク）が、超小型着脱自在ネブライザーが装着される外部ソケット（レセプタクル）のインジェクターチューブと着脱自在に結合される霧注入チューブとともに固定される。前記小型ネブライザーは超音波キャビテーションマイクロシステムを有し、組み立て式タンク内の薬用液体を霧化させるのに必要な振動を発生させる。前記超音波機構は、起動ボタン（電源ボタン）を備え、側面の包囲領域に収納され、反対側の類似バッテリー包囲領域内のバッテリーにより起動される小型電子装置によって作動される。前記サポートマスクの外周面は、要所で、子供達の喜ぶキャラクターに似せてかたどられた層状材料から成る外周仮面の取り付けを可能とする取付手段を提供する。
【図面の簡単な説明】
【０００５】
【図１】図１は本考案の子供の顔の前に示されたネブライザーの斜視図である。
【図２】図２はサポートフェイスマスク及び仮面の垂直面中心を通る断面図であり、マスク及び小型ネブライザーのソケット保持体を示す図である。
【考案を実施するための形態】
【０００６】
本実用新案の機能的及び構造的特徴を実現するために、好ましい実施の態様を以下に示す。添付の図面では具体的な縮尺を示さずに模式的に図示した。図面は全くの例示であり、本考案に限定的な性質を与えるものではなく、本考案の基礎と成る基本的な概念を図示する。
【０００７】
図１に示されるように、子供の呼吸器（N）の正面の突出部にあるネブライザーマスク１は、装着ひも４を備えるサポートフェイスマスク３のキャビティ２に配置される。前記ネブライザーマスク１は、前記キャビティ２の底面２’の穴を貫通して緊密に連通する連結チューブ７によって、超小型ネブライザー６を含む外部ソケット５と嵌合され、安全に固定される。外側では、前記サポートフェイスマスク３は取付手段８を有する。本実施態様において、前記取付手段８は、ベルクロ（登録商標）状の止め具から成り、補足取付手段を備える仮面９を着脱自在に固定する。
【０００８】
前記サポートフェイスマスク３の一方の面に、電源ボタンｅを備える電子装置Ｅが配置され、前記電子装置Ｅは、他方の面に電源（バッテリー）Ａが配置された小型ネブライザー６の動作を制御する。
【０００９】
図２に示す断面図において、サポートフェイスマスク３のキャビティ２に配置されたネブライザーマスク１が、小型ネブライザー６を含む外部ソケット５のインジェクターピーク（インジェクターチューブの端部）５’と結合される底面２’の穴を貫通して緊密に連通する連結チューブ７によってサポートフェイスマスク３にしっかりと固定される。仮面９は取付手段８及び補助取付手段によって前記サポートフェイスマスク３に固定される。
【００１０】
前記他方の面の包囲領域Ａに、前記電子装置Ｅの動作を指令する電子装置に給電するバッテリーが配置される。
【００１１】
前記ネブライザーマスク１及び前記外部ソケット５は共に掃除のために容易に取り外すことができ、液体を充填するために小型ネブライザー６を前記外部ソケット５から抜き取ることができる。
【００１２】
噴霧療法を行うために、前記ネブライザーマスク１は、霧化される薬用液体が充填されたタンクを備える小型ネブライザー６を取り付けた前記外部ソケット５との結合によりサポートフェイスマスク３に固定される。前記サポートフェイスマスク３は装着ひも４によって装着され、仮面９が取り付けられる。ケーブルやチューブのない小型ネブライザー６の自律性により移動することができ、前記電子装置Ｅとの共動により液体の服用量が消費されると前記電子装置Ｅによって検出されるので、マスクを取り外す必要なく遊び続けられるため、マスクは子供に受け入れられる。
【００１３】
本出願のネブライザーは子供ならではの移動性及びマスク着用への抵抗感が従来のネブライザーの使用の際に重大な問題となる子供用の呼吸器の噴霧治療に適用される。退行性病理の高齢者にも使用される。
【００１４】
本出願において、前記ネブライザーマスク１は前記サポートフェイスマスク３のキャビティ（２）内に配置されるが、前記ネブライザーマスク１をサポートフェイスマスク３の外側に配置することもできる。その場合、サポートフェイスマスク３の呼吸器（Ｎ）に対応する領域に連通穴が形成される。
【符号の説明】
【００１５】
１・・・ネブライザーマスク
２・・・キャビティ
２’・・・底面
３・・・サポートフェイスマスク
４・・・装着ひも
５・・・外部ソケット
５’・・・インジェクターピーク
６・・・小型ネブライザー
７・・・連結チューブ
８・・・取付手段
９・・・仮面
Ａ・・・電源
E・・・電子装置
ｅ・・・電源ボタン
【図１】
0003209915.tif 000003
【図２】
0003209915.tif 000004